(57)【特許請求の範囲】
【請求項１】
スライドドアの上側レールの終端部分に取り付けられる凹字形状のガイド部材と、このガイド部材の内側に上下動可能に位置する上下動部材と、この上下動部材に設けられた雌ネジ部に螺合されるとともに、前記ガイド部材の下壁の貫通孔を貫通し、先端がカバー部材にかしめられたネジ部材とを具備しており、前記上下動部材は、ガイド部材の対向する一対の垂直壁の内側と、前記上下動部材との間に設けられたガイド機構に沿って上下動可能になっていることを特徴とするスライドドア用しゃくり止め部材。
【請求項２】
スライドドアの上側レールの終端部分に取り付けられる本体片と、この本体片に開設された雌ネジ部に螺合されるネジ部材とを具備しており、前記雌ネジ部の周囲には盛り上がったマウンド部が形成されており、前記本体片の両端には長さ方向に長い長孔が開設されていることを特徴とするスライドドア用しゃくり止め部材。
【発明の詳細な説明】
【技術分野】
【０００１】
本発明は、家屋内のスライドドアのスライドドア用しゃくり止め部材に関する。
【背景技術】
【０００２】
家屋内のスライドドアには、図９に示すようなストッパ７００が設けられているものがある。かかるストッパ７００は、スライドドア５００が勢いよく閉じられたとしても、バタンと閉まることなくスムーズかつ静かに閉まるようにするものである。なお、スライドドア５００は、外枠体５２０から吊り下げられるようにして設置される上側レール５１０に吊り下げられており、この上側レール５１０をスライドすることによって移動するようになっている。
【０００３】
前記ストッパ７００は、スライドドア５００の上端に取り付けられるストッパ本体７１０と、ガイドレール５１０の終端近傍に取り付けられる受側部材７２０とから構成されている。ストッパ本体７１０の上端からは、先端にローラ７１１が取り付けられたアーム７１２が突出している。かかるアーム７１２は、ストッパ本体７１０に内蔵された図示しないショックアブソーバー機構に連結されている。一方、受側部材７２０は、アーム７１２を受ける受け凹部７２１が形成されている。なお、図面中８００は、スライドドア５００の先端上部に取り付けられ、スライドドア５００が振れないようにする振れ止め金具であり、その先端は二股状に形成されている。
【０００４】
スライドドア５００が閉じられると、アーム７１２が受け凹部７２１に入り込み、ショックアブソーバー機構により、スライドドア５００の閉じる方向の勢いが吸収されるため、スムーズかつ静かに閉まるのである。
【０００５】
この種のストッパとしては、図９のものとは構造が異なるが、特開２００４−１１６２３１に開示されたものがある。
【０００６】
【特許文献１】特開２００４−１１６２３１
【発明の開示】
【発明が解決しようとする課題】
【０００７】
しかしながら、上述したストッパを装備したスライドドアには以下のような問題点がある。
すなわち、アームが受け凹部に入り込んだ際に、スライドドアが若干斜め上方向に移動し、その後、スライドドアが落ちるのである。このため、スライドドアが閉まる際に若干の異音が発生したり、しゃくれたような動きをすることがある。
これは、アームが受け凹部に入り込んだ際の衝撃をショックアブソーバー機構が完全に吸収しきれない時に生じる動きである。
【０００８】
本発明は、上記事情に鑑みて創案されたもので、閉じられる際のスライドドアがしゃくれないようにするスライドドア用しゃくり止め部材を提供することを目的としている。
【課題を解決するための手段】
【０００９】
本発明に係るスライドドア用しゃくり止め部材は、スライドドアの上側レールの終端部分に取り付けられる凹字形状のガイド部材と、このガイド部材の内側に上下動可能に位置する上下動部材と、この上下動部材に設けられた雌ネジ部に螺合されるとともに、前記ガイド部材の下壁の貫通孔を貫通し、先端がカバー部材にかしめられたネジ部材とを備えており、前記上下動部材は、ガイド部材の対向する一対の垂直壁の内側と、前記上下動部材との間に設けられたガイド機構に沿って上下動可能になっている。
【００１０】
また、本発明に係る他のスライドドア用しゃくり止め部材は、スライドドアの上側レールの終端部分に取り付けられる本体片と、この本体片に開設された雌ネジ部に螺合されるネジ部材とを備えており、前記雌ネジ部の周囲には盛り上がったマウンド部が形成されており、前記本体片の両端には長さ方向に長い長孔が開設されている。
【発明の効果】
【００１１】
本発明に係るスライドドア用しゃくり止め部材は、しゃくりの原因であるスライドドアの斜め上方向への移動を上側から押さえ込むことができるので、しゃくりやそれに起因する異音の発生を抑止することができる。しかも、上下動部材は上下方向に移動可能になっているので、個々のスライドドアについて調整が可能である。
【００１２】
また、本発明の係る他のスライドドア用しゃくり止め部材では、より少ない部品で同等の効果を得ることができる。
【発明を実施するための最良の形態】
【００１３】
図１は本発明の実施の形態に係るスライドドア用しゃくり止め部材の概略的分解斜視図、図２は本発明の実施の形態に係るスライドドア用しゃくり止め部材の概略的正面図、図３は本発明の実施の形態に係るスライドドア用しゃくり止め部材の概略的正面図、図４は本発明の実施の形態に係るスライドドア用しゃくり止め部材の概略的側面断面図、図５は本発明の実施の形態に係るスライドドア用しゃくり止め部材とスライドドアとの位置関係を示す概略的説明図、図６は本発明の実施の形態に係るスライドドア用しゃくり止め部材の他の構成を示す概略的平面図、図７は本発明の他の実施の形態に係るスライドドア用しゃくり止め部材を構成する本体片の図面であって、同図（Ａ）は概略的平面図、同図（Ｂ）は概略的一部破断側面図、図８は発明の他の実施の形態に係るスライドドア用しゃくり止め部材の作用を示す概略的側面図である。
【００１４】
本発明の実施の形態に係るスライドドア用しゃくり止め部材１００は、スライドドア５００の上側レール５１０の終端部分に取り付けられる凹字形状のガイド部材１１０と、このガイド部材１１０の内側に上下動可能に位置する上下動部材１２０と、この上下動部材１２０に設けられた雌ネジ部１２５に螺合されるとともに、前記ガイド部材１１０の下壁１１３の貫通孔１１５を貫通し、先端がカバー部材１４０にかしめられたネジ部材１３０とを備えており、前記上下動部材１２０は、ガイド部材１１０の対向する一対の垂直壁１１１の内側に向かい合って設けられた一対のガイドリブ１１２に沿って上下動可能になっている。
【００１５】
かかるスライドドア用しゃくり止め部材１００は、図４に示すように、スライドドア５００の上側レール５１０の終端部分に取り付けられている。この上側レール５１０は、図４に示すように、二段凹字形状に形成されており、開放側が下方を向くようにしてスライドドア５００の外枠体５２０に埋め込んで取り付けられている。
【００１６】
このスライドドア用しゃくり止め部材１００を構成するガイド部材１１０は、例えば、ダイカスト製であり、対向した一対の垂直壁１１１と、この垂直壁１１１の間を下端側でつなぐ下壁部１１３と、前記垂直壁１１１の上端から外方向に延出された取付部１１４とが一体に形成されたものである。
【００１７】
前記一対の垂直壁１１１の内側には、ガイドリブ１１２が向かい合って形成されている。このガイドリブ１１２は、ガイド部材１１０の対向する一対の垂直壁１１１の内側と、前記上下動部材１２０との間に設けられたガイド機構の一部を構成するものである。すなわち、このガイドリブ１１２は、後述する上下動部材１２０の上下動をガイドするものであり、ガイド部材１２０の幅寸法より薄い幅寸法に設定されている。
【００１８】
また、前記下壁１１３の中央部には、ネジ部材１３０が貫通する貫通孔１１５が開設されている。さらに、取付部１１４の略中央には、このガイド部材１２０を固定するための固定ネジ１５０が貫通する取付貫通孔１１６が開設されている。
【００１９】
一方、このスライドドア用しゃくり止め部材１００を構成する上下動部材１２０は、ガイド部材１１０と同様にダイカスト製であり、両サイドに凹状の切欠１２２がある平板部１２１と、この平板部１２１の下面中央から垂下される垂下部１２３とが一体に形成されたものである。
【００２０】
前記平板部１２１は、両端に切欠１２２が形成されていることから、平面視細長いＨ字形状に形成されている。かかる平板部１２１の両端の切欠１２２は、ガイド部材１１０の対向する一対の垂直壁１１１の内側と、前記上下動部材１２０との間に設けられたガイド機構の一部を構成するものである。すなわち、この切欠１２２は、前記ガイドリブ１１２とともにガイド機構を構成するものである。かかる切欠１２２は、前記ガイド部材１１０のガイドリブ１１２に対応する部分であって、幅寸法はガイドリブ１２２のそれより若干大きめに設定されている。
【００２１】
このような平板部１２１の下面中央から垂下される垂下部１２３は、切欠１２２の両側では垂下壁１２４となり、前後から前記ガイドリブ１１２を挟み込むように機能する。また、それ以外の垂下部１２３の中央には、前記貫通孔１１５を貫通したネジ部材１３０が螺合される雌ネジ部１２５が形成されている。
【００２２】
かかる上下動部材１２０の幅寸法は、前記ガイド部材１１０のそれもより大きく設定されている。また、この上下動部材１２０の高さ寸法は、上下動部材１２０がガイド部材１１０の内側において上下動するために、ガイド部材１１０の内側の高さ寸法より小さく設定されている。
【００２３】
また、スライドドア用しゃくり止め部材１００を構成するカバー部材１４０は、ガイド部材１１０の上側の開放側に取り付けられるものであって、バー状に形成されている。かかるカバー部材１４０は、ガイド部材１１０の一対の取付部１１４の先端同士の間の長さと同等の長さに設定されているとともに、幅寸法はガイド部材１１０の幅寸法と同等に設定されている。
【００２４】
かかるカバー部材１４０の中央には、ネジ部材１３０の先端がかしめられるかしめ用皿孔１４１が開設されている。このかしめ用皿孔１４１は、カバー部材１４０をガイド部材１１０に取り付けると、ガイド部材１１０の貫通孔１１５と同じ垂直線上に位置するようになっている。
【００２５】
また、カバー部材１４０の両端部近傍には、前記固定ネジ１５０が貫通するカバー側貫通孔１４２が開設されている。このカバー側貫通孔１４２は、カバー部材１４０をガイド部材１１０に取り付けると、ガイド部材１４０の取付貫通孔と一致するようになっている。
【００２６】
かかるスライドドア用しゃくり止め部材１００は次のようにして外枠体５２０に取り付けられる。
まず、上下動部材１２０の切欠１２２にガイドリブ１１２が位置するようにして、上下動部材１２０をガイド部材１１０の内側に位置させる。ガイド部材１１０の貫通孔１１５にネジ部材１３０を貫通させ、同時にネジ部材１３０を上下動部材１２０の雌ネジ部１２５に螺合させる。さらに、カバー部材１４０をガイド部材１１０に被せた状態で、ネジ部材１３０の先端をカバー部材１４０のかしめ用皿孔１４１にかしめる。
【００２７】
この状態では、ガイド部材１１０の取付部１１４の取付貫通孔１１６は、カバー部材１４０のカバー側貫通孔１４２と一致しているので、固定ネジ１５０を両貫通孔１１６、１４２に貫通させてともじめすることで、スライドドア用しゃくり止め部材１００を外枠体５２０に取り付ける。
【００２８】
この状態にあるスライドドア用しゃくり止め部材１００では、ネジ部材１３０を回転させることにより、ガイド機構の作用によって上下動部材１２０がガイド部材１１０の内側で上下動することになる。
【００２９】
スライドドア５００の上端部には、図４に示すようなスライダ５３０が突出して設けられている。このスライダ５３０は、スライドドア５００とともにスライドする。かかるスライダ５３０のうち、スライドドア５００の上端部から突出した部分は、上向きの長い凹字形状に形成された凹部５３１となっている。
【００３０】
かかるスライダ５３０の凹部５３１の上端部分は接触部５３３として、上下動部材１２０の平板部１２１の下面に接触する部分である。すなわち、この接触部５３３と、前記上下動部材１２０の平板部１２１の下面とが接触することにより、スライドドア５００のしゃくりやそれに伴う異音の発生の原因となっているスライドドア５００の若干斜め上方向への移動が抑制されるのである。
【００３１】
なお、このように構成されるスライドドア用しゃくり止め部材１００は、図５に示すように、スライドドア５００が取り付けられる外枠体５２０の終端部分に設けられている。すなわち、このスライドドア用しゃくり止め部材１００は、外枠体５２０に吊り下げられた上側レール５１０の内側でかつ終端部分に取り付けられている。スライドドア５００にストッパ本体７１０や振れ止め金具８００が設けられていたり、外枠体５２０に受側部材７２０が設けられていたりする点は、従来のものと同様である。
【００３２】
また、上述した実施の形態では、ガイド機構は、突出されたガイドリブ１１２と、凹んだ切欠１２２とから構成されるとしたが、例えば、図６（Ａ）に示すように、ガイド部材１１０の垂直壁１１１に切欠１１７を、上下動部材１２０にガイドリブ１２６を設けてもよい。また、図６（Ｂ）に示すように、ガイド部材１１０の一方の垂直壁１１１には切欠１１７を、他方の垂直壁１１１にはガイドリブ１１２をそれぞれ設け、上下動部材１２０には、それぞれの切欠１１７、ガイドリブ１１２に対応するガイドリブ１２６、切欠１２２を設けるようにしてもよい。
【００３３】
本発明の他の実施の形態に係るスライドドア用しゃくり止め部材２００は、上述したスライドドア用しゃくり止め部材１００よりも構造がきわめて簡単である。
すなわち、このスライドドア用しゃくり止め部材２００は、図７等に示すように、スライドドア５００の上側レール５１０の終端部分に取り付けられる本体片２１０と、この本体片２１０に開設された雌ネジ部２１１に螺合されるネジ部材２２０とを備えており、前記雌ネジ部２１１の周囲には盛り上がったマウンド部２１２が形成されており、前記本体片２１０の両端には長さ方向に長い長孔２１３が開設されている。
【００３４】
かかるスライドドア用しゃくり止め部材２００は、金属板を略帯状に形成したものであり、中央に雌ネジ部２１１が形成されている。そして、このスライドドア用しゃくり止め部材２００がスライドドア５００の外枠体５２０に接触する側の面、すなわち上面には前記雌ネジ部２１１の周囲を取り囲むようにしてマウンド部２１２が設けられている。このマウンド部２１２は、前記外枠体５２０に密着するように平らに形成されている。そして、このスライドドア用しゃくり止め部材２００は、中央が下向きに凹むことによって両端がマウンド部２１２と同一平面上に位置するようになっている。
【００３５】
このように構成されたスライドドア用しゃくり止め部材２００は、次のようにして外枠体５２０に取り付けられる。
前記長孔２１３を介して固定ネジ２５０を外枠体５２０に螺合する。その際、固定ネジ２５０はスライドドア用しゃくり止め部材２００を動かないようになるまでは固定しないことが重要である。
【００３６】
この状態で、雌ネジ部２１１にネジ部材２２０を螺合させるが、この雌ネジ部２１１の螺合具合によってスライドドア用しゃくり止め部材２００の下方向の突出の度合いが変化するのである。すなわち、ネジ部材２２０の螺合の度合いが低いと、図７（Ａ）に示すように、スライドドア用しゃくり止め部材２００の下方向の突出の度合いが弱く、ネジ部材２２０の螺合の度合いが高いと、図７（Ｂ）に示すように、スライドドア用しゃくり止め部材２００の下方向の突出の度合いが強くなるのである。
【００３７】
この際、すなわちネジ部材２２０の螺合の度合いを調整する際に、固定ネジ２５０によってスライドドア用しゃくり止め部材２００が動かないようになるまで強固に固定されていると、スライドドア用しゃくり止め部材２００の下方向への突出が生じないので、上述の点が重要になるのである。また、スライドドア用しゃくり止め部材２００を固定するのは、スライドドア用しゃくり止め部材２００の長さ方向に長い長孔であるため、ネジ部材２２０の調整の際にスライドドア用しゃくり止め部材２００の動きを許容するのである。
【００３８】
このように構成されたスライドドア用しゃくり止め部材２００の本体片２１０が、上述したスライドドア５００の凹部５３１の上端部分である接触部５３３と接触することで、スライドドア５００のしゃくりやそれに伴う異音の発生の原因となっているスライドドア５００の若干斜め上方向への移動が抑制されるのである。
【００３９】
なお、上述した説明では、スライドドア５００に振れ止め金具８００が設けられているとしたが、振れ止め金具８００を設ける代わりに、スライドドア５００の一部を振れ止め金具８００と同じような形状に形成することによって、振れ止め金具８００と同様の効果を得ることが可能である。
【図面の簡単な説明】
【００４０】
【図１】本発明の実施の形態に係るスライドドア用しゃくり止め部材の概略的分解斜視図である。
【図２】本発明の実施の形態に係るスライドドア用しゃくり止め部材の概略的正面図である。
【図３】本発明の実施の形態に係るスライドドア用しゃくり止め部材の概略的正面図である。
【図４】本発明の実施の形態に係るスライドドア用しゃくり止め部材の概略的側面断面図である。
【図５】である。
【図６】本発明の実施の形態に係るスライドドア用しゃくり止め部材の他の構成を示す概略的平面図である。
【図７】本発明の他の実施の形態に係るスライドドア用しゃくり止め部材を構成する本体片の図面であって、同図（Ａ）は概略的平面図、同図（Ｂ）は概略的一部破断側面図である。
【図８】本発明の他の実施の形態に係るスライドドア用しゃくり止め部材の作用を示す概略的側面図である。
【図９】スライドドアに用いられるストッパの概略的正面図である。
【符号の説明】
【００４１】
１００    スライドドア用しゃくり止め部材
１１０    ガイド部材
１１２    ガイドリブ
１１３    下壁
１１５    貫通孔
１２０    上下動部材
１２５    雌ネジ部
１３０    ネジ部材
１４０    カバー部材
【図１】
0004579075.tif 000002
【図２】
0004579075.tif 000003
【図３】
0004579075.tif 000004
【図４】
0004579075.tif 000005
【図５】
0004579075.tif 000006
【図６】
0004579075.tif 000007
【図７】
0004579075.tif 000008
【図８】
0004579075.tif 000009
【図９】
0004579075.tif 000010